(57)【要約】【課題】可動式磁石片を備える健康シューズの一種であって、これは、人体の足の裏に対して静的および動的磁界を生成することができ、特に、人体が停止および歩行するときに靴底にそれぞれ生成される静的および動的磁界を利用して足の裏に磁気療法を実施することができる健康シューズを提供すること。【解決手段】靴底は、下部底および下部底の上側表面を覆う中底を含んでいる。中底の上側表面には溝が刻まれており、可動式磁石片が溝の底部に配置されている。本考案によるシューズが足に装着された場合、足が持ち上がって着地する際に、溝の前部分および後部部分はそれぞれその相対的位置を変化させ、溝内の磁石片は重力の影響を受けて溝の底部の傾斜に応じて前後方向に移動するが、これにより磁界の移動、つまり動的磁界が生じる。人体が停止および歩行する場合、本考案によるシューズは、２つの形態の磁界により足の裏に磁気療法を実施し、これにより足の裏における磁気療法の効果を高める。【選択図】図１
0003114653.tif 000002
【実用新案登録請求の範囲】
【請求項１】
爪革および靴底を備える可動式磁石片を有する健康シューズであって、前記靴底は下部底および前記下部底の上側表面を覆う中底を含み、前記下部底の前記上側表面に溝が設けられており、前記可動式磁石片は前記溝の底部に配置されていることを特徴とするシューズ。
【請求項２】
複数の溝が設けられていることを特徴とする請求項１に記載の可動式磁石片を有する健康シューズ。
【請求項３】
前記溝の前記内部または底部は表面の滑らかな硬質弾性シート材料である裏張りが施されていることを特徴とする請求項１に記載の可動式磁石片を有する健康シューズ。
【請求項４】
前記裏張りの縦方向壁面に互い違いのスリットが設けられていることを特徴とする請求項１に記載の可動式磁石片を有する健康シューズ。
【請求項５】
前記溝の底部は水平であることを特徴とする請求項１に記載の可動式磁石片を有する健康シューズ。
【請求項６】
前記溝の底部は傾斜していることを特徴とする請求項１に記載の可動式磁石片を有する健康シューズ。
【請求項７】
前記磁石片はビーズ様の形状を有することを特徴とする請求項１に記載の可動式磁石片を有する健康シューズ。
【請求項８】
前記磁石片は円柱の形状を有することを特徴とする請求項１に記載の可動式磁石片を有する健康シューズ。
【請求項９】
前記磁石片は円形シートの形状を有することを特徴とする請求項１に記載の可動式磁石片を有する健康シューズ。
【考案の詳細な説明】
【技術分野】
【０００１】
本考案は、健康シューズの一種に関する。具体的には、可動式磁石片を備える健康シューズに係る。
【背景技術】
【０００２】
中国漢方の経路の原理によると、脾臓経路、膀胱経路、胃経路、腎臓経路、肝臓経路および胆嚢経路など、いくつかの重要な経路があり、これらが足の裏の多くの重要な経穴を構成している。中国漢方の長年にわたる実践から、足の裏の経路および経穴のマッサージおよび刺激が人体の経路を浚渫し、人体の潜在力を活発にして疾病を防ぐ効果を得られるようにし、経路を活性化し内蔵を暖めることができることが実証されている。そのため、「人体の足裏の跳ね返り領域マッサージ療法」は広く普及し、健康維持方法および疾病の補助療法となっている。
【０００３】
近年、科学技術の発展に伴って、足の裏の経路および経穴をマッサージおよび刺激する目的を達成するために各種の健康シューズが提供されている。たとえば、磁界が足の裏の特定の経穴を刺激できるように磁石片が靴の中底に備え付けられている。この種の健康シューズは経穴の磁気療法を達成することはできるが、中底に固定された磁石片セットは、人体の足の裏の特定の経穴に対して、動的磁界ではなく静的磁界しか生成しない。このことは、磁気療法の効果を制限している。このため、この種の健康シューズには、何らかの限界がある。
【０００４】
さらに、足の裏における磁気療法の効果を向上させ、人体の足裏に動的磁界を生成するため、一部のシューズでは靴底にコイルが備え付けられて、交流電流がコイルを通じて流れるときに、人体の足裏に動的磁界の磁気療法を実施するためのパルス磁界が、人体の足裏に生成されるようになっている。この種の磁気療法シューズは、磁気療法の効果を高めるが、動的磁界を生成するために靴底のコイルを通じて流れる交流電流が必要になり、そのため、この種のシューズは歩行時には使用することはできないが、特定の場所に設置し、プラグ付きのワイヤを引き出してコンセントにプラグを挿入した後にのみ、固定位置において動的磁界の磁気療法を実施することができる。
【０００５】
前述の健康シューズはすべて、人体が停止および歩行する場合の足およびシューズの静止および運動のために、靴底にそれぞれ生成される静的および動的磁界による足の裏の磁気療法を実施することはできない。
【考案の開示】
【考案が解決しようとする課題】
【０００６】
本考案は、人体が停止および歩行するときの足および靴の静止および移動によって裏にそれぞれ発生する静的および動的磁界を用いた足裏のための磁気療法を実行することができる移動磁石片をもつ一種の健康シューズを対象とする。
【課題を解決するための手段】
【０００７】
本考案によるシューズは、図１に示すように、爪革および靴底を備えている。靴底は、下部底および下部底の上側表面を覆う中底を備えている。図２に示すように、下部底の上側表面には溝が刻まれており、可動式磁石片が溝の底部に配置されている。
【０００８】
本考案によれば、下部底の上側表面の全体にわたって配置された、あるいはあらかじめ定められた位置にのみ配置された複数の溝があってもよい。
【０００９】
本考案による溝の底部は、水平面または傾斜面のいずれにもすることができる。
【００１０】
本考案によれば、溝の内部または底部には、表面の滑らかな硬質弾性シート材料である裏張りを施すことができ、裏張りの縦壁面には互い違いのスリットを設けることができる。
【００１１】
本考案の磁石片は、ビーズ状、円柱状、または円形シート型のいずれであってもよい。
【００１２】
本考案によるシューズと共に歩行する際は、前進するために足が持ち上がる場合、シューズの前部が上方および前方に移動するので、溝の底部にある磁石片は溝の底部の表面に沿って溝の後部まで後方にスライドする。足が地面に着地した後に再び持ち上がる場合、踵が持ち上がると、同時に溝内の磁石片も溝の底部表面に沿って溝の前部までスライドする。そのようにして、足は繰り返して持ち上がり、着地し、溝の前部および後部は連続的にその相対的位置を変化させ、溝内の磁石片は重力の影響を受けて溝の底部の傾斜に応じてスライドするかまたは転がる。磁石片の前後方向の移動は、磁界の移動を引き起こし、それが動的磁界を形成する。動的磁界が人体の足裏に作用する場合、動的磁界のマッサージは、足裏に対する磁気療法の効果を高める。
【００１３】
静止状態の場合、磁石片の静的磁界は、人体の足裏に対する静的磁界の磁気療法を実施することができる。
【００１４】
要約すると、本考案は、可動式磁石片を備える健康シューズの一種であり、これは人体が停止および歩行するときに足およびシューズの静止および運動により靴底でそれぞれ生成される静的および動的磁界を用いて人体の足裏の磁気療法を実施することができる。
【実施例】
【００１５】
本考案を採用する旅行用シューズは、羊革から作られた爪革１および中底４と下底の組み合わせにより形成される靴底２を備えており、中底４は牛革で作られ、下部底はポリウレタンで作られている。３×２（合計６個）の溝５は、下部底３の上側表面に設けられている。溝５の底部は、前面部が高く後部が低い傾斜面になっている。裏張り６は、溝の上側、下側および底側内部に沿って溝５内に施され、縦方向スリット８は溝の底側内部の裏張り６に設けられている。可動式の球形磁石片７は、図３および図４に示すように、溝の底部の内部裏張り６の内側表面上に配置されている。
【００１６】
本考案によるシューズが足に装着された場合、静止時において、球形磁石片７は、重力を受けて裏張りの内側表面に沿って溝５の内張り底部の下側位置、つまり溝の底部の後部分までスライドする。球形磁石片の静的磁界は、人体の足裏を直接刺激することができる。
【００１７】
歩行中には、足が地面に着地した後に踵が持ち上げられ、この時点で、靴底２は前部が低く後部が高い状態にあり、溝底部の後ろ部分の裏張り６に静止している球形磁石片７は重力を受けて溝底部の裏張り６の内側表面に沿って溝底部の前面部分に転がる。前方に移動するとき、溝５は、足の動きに沿って前方への加速を生じ、裏張り６および球形磁石片７の間の摩擦係数が非常に小さいため、溝底部の前面部分の裏張り６に配置された球形磁石片７は、対向力および重力を受けて溝５の溝底部８の下部までスライドする。
【００１８】
足が地面に着地すると必ず、ポリウレタンで作られた下部底３は、下向きの鉛直力を受けて圧縮変形を生じる。同時に、裏張り６上に位置する縦方向の互い違いのスリット８は、下部底３の変形に伴って間に押し込まれることによって短くなり、そのため足を圧迫することはできない。
【００１９】
何度も繰り返して、足が一歩前方に踏み出すと必ず、下部底３の各溝５内の球形磁石片７は一度前後方向に移動し、同時に、磁界の移動を一回もたらす。前後方向に移動する動的磁界は、人体の足裏を直接マッサージして刺激することができる。
【００２０】
本考案によれば、静的および動的磁界は、人体の足裏と直接接触して、２つの形態の磁界により人体の足裏の磁気療法を実施するが、これが足の裏の磁気療法の効果を高める。特に、人体の歩行中に足およびシューズの動きに伴ってシューズ自体によって生成される動的磁界は、人体の足裏の磁気療法を実施するために使用することができる。
【図面の簡単な説明】
【００２１】
【図１】本考案を示す全体概略図である。
【図２】本考案による下部底を示す上面図である。
【図３】本考案の実施形態による下部底を示す概略図である。
【図４】本考案の実施形態による下部底の溝、裏張り、磁石片および互い違いのスリットを示す概略図である。
【符号の説明】
【００２２】
１  爪革
２  靴底
３  下部底
４  中底
５  溝
６  裏張り
７  磁石片
８  互い違いのスリット
【図１】
0003114653.tif 000003
【図２】
0003114653.tif 000004
【図３】
0003114653.tif 000005
【図４】
0003114653.tif 000006